(57)【要約】      （修正有）【課題】ボタン一つだけで二つのクランプの開閉操作を完遂できる美髪器を提供する。【解決手段】本体固定フレーム１、第１のクランプ２、第２のクランプ３及び第１のクランプと第２のクランプを閉止するための反発装置を含み、本体固定フレームに中心軸と開閉梃子４が設けられ、第１のクランプと第２のクランプが中心軸によって開閉可能に本体固定フレームにヒンジ連結され、第１のクランプはハンドル５に位置する片端にボタンと支持ロッドが設けられ、支持ロッドは開閉梃子の片端に作用しかつ開閉梃子が支点をめぐる回転を駆動することができ、開閉梃子の他端は第２のクランプの端部に作用しかつ第２のクランプが中心軸をめぐる回転を駆動できる。使用時に、ユーザがただ第１のクランプのボタンを押せば、支持ロッドによって開閉梃子を抉って動かし、それによって第２のクランプが中心軸をめぐって回転するようにし、更に二つのクランプを開放し、ボタンを放した後、反発装置は二つのクランプを閉止してヘアを挟持する。【選択図】図１
0003207160.tif 000002
【実用新案登録請求の範囲】
【請求項１】
本体固定フレーム、第１のクランプ、第２のクランプ及び前記第１のクランプと前記第２のクランプを閉止するための反発装置を含む美髪器であって、
前記本体固定フレームに中心軸と開閉梃子が設けられ、前記第１のクランプと前記第２のクランプが前記中心軸によって開閉可能に前記本体固定フレームにヒンジ連結され、前記第１のクランプはハンドルに位置する片端にボタンと支持ロッドが設けられ、前記支持ロッドは前記開閉梃子の片端に作用し且つ前記開閉梃子が支点をめぐる回転を駆動することができ、前記開閉梃子の他端は前記第２のクランプの端部に作用し且つ前記第２のクランプが前記中心軸をめぐる回転を駆動できる、
美髪器。
【請求項２】
前記反発装置は圧縮バネであり、前記第１のクランプと前記第２のクランプには、いずれも前記圧縮バネの端部に接続するための固定柱が設けられる、
請求項1に記載の美髪器。
【請求項３】
前記支持ロッドは前記開閉梃子の端部に当接し、前記第２のクランプの端部は前記開閉梃子の端部に当接する、
請求項２に記載の美髪器。
【請求項４】
前記本体固定フレームは、ボディシェル及び前記ボディシェルに固定されるクランプ支持フレームを含み、前記クランプ支持フレームには、ヘアを挟持するための固定開口及び前記第１のクランプと前記第２のクランプを開閉するためのスロットが設けられ、前記固定開口の開口寸法が固定的であり、縦断面がＶ形構造である、
請求項1に記載の美髪器。
【請求項５】
前記クランプ支持フレームには、前記ボディシェルを装着するためのねじ穴が設けられ、前記ボディシェルは、ネジによって前記クランプ支持フレームに固定される、
請求項４に記載の美髪器。
【請求項６】
前記クランプ支持フレームの片側の末端には一つの前記ねじ穴が設けられ、他端には二つの前記ねじ穴が設けられる、
請求項５に記載の美髪器。
【請求項７】
前記ボディシェルには、取り外し可能で面ハウジングが接続される、
請求項６に記載の美髪器。
【請求項８】
前記面ハウジングは、スナップによって取り外し可能で前記ボディシェルに接続される、
請求項７に記載の美髪器。
【請求項９】
前記面ハウジングは、プラスティック製の面ハウジングである、
請求項８に記載の美髪器。
【請求項１０】
前記クランプ支持フレームの末端には、円弧過渡構造が設けられる、
請求項５〜９のいずれか１項に記載の美髪器。
【考案の詳細な説明】
【技術分野】
【０００１】
本考案は、理髪用品の技術分野に関し、特に美髪器に関する。
【背景技術】
【０００２】
美髪器は、よく使われる理髪用品であり、伸ばしかけ又はパーマの機能を持っている。伸ばしかけ機能を持つ美髪器は、一般的に二つのクランプと一つのハンドルを含み、ハンドルに二つのボタンが設けられる。ユーザが二つのボタンを同時に押下することで二つの加熱板の開放又は閉止を制御する必要がある。長い間の使用後、ユーザの指が疲れ、痛くなり、ユーザの使用快適さが低下してしまう。そして、ユーザの指が疲れたら、不意に美髪器を転落させかねないので、如何に美髪器が転落するときの損傷と破壊を回避又は減少することもとても重要である。なお、伝統的な美髪器の面ハウジングと本体固定フレームは、一体式構造であり、面ハウジングの素材が交換不能であるため、美髪器の機能が単一であるので、ユーザの使用に不便をかけてしまう。
【０００３】
従って、如何に手間を省き且つ安全な美髪器を提供するかということは、現在の当業者が解決しようとする技術問題となってくる。
【考案の概要】
【考案が解決しようとする課題】
【０００４】
上記を鑑みて、本考案は、美髪器を提供し、ユーザが当該美髪器を使用する時により容易に、より便利に、より安全になるようする。
【課題を解決するための手段】
【０００５】
上記課題を解決するために、本考案は、美髪器を提供し、本体固定フレーム、第１のクランプ、第２のクランプ及び上記第１のクランプと上記第２のクランプを閉止するための反発装置を含み、上記本体固定フレームに中心軸と開閉梃子が設けられ、上記第１のクランプと上記第２のクランプが上記中心軸によって開閉可能に上記本体固定フレームにヒンジ連結され、上記第１のクランプはハンドルに位置する片端にボタンと支持ロッドが設けられ、上記支持ロッドは上記開閉梃子の片端に作用し且つ上記開閉梃子が支点をめぐる回転を駆動することができ、上記開閉梃子の他端は上記第２のクランプの端部に作用し且つ上記第２のクランプが上記中心軸をめぐる回転を駆動できる。
【０００６】
望ましくは、上記美髪器において、上記反発装置は圧縮バネであり、上記第１のクランプと上記第２のクランプには、いずれも上記圧縮バネの端部に接続するための固定柱が設けられる。
【０００７】
望ましくは、上記美髪器において、上記支持ロッドは上記開閉梃子の端部に当接し、上記第２のクランプの端部は上記開閉梃子の端部に当接する。
【０００８】
望ましくは、上記美髪器において、上記本体固定フレームは、ボディシェル及び上記ボディシェルに固定されるクランプ支持フレームを含み、上記クランプ支持フレームには、ヘアを挟持するための固定開口及び上記第１のクランプと上記第２のクランプを開閉するためのスロットが設けられ、上記固定開口の開口寸法が固定的であり、縦断面がＶ形構造である。
【０００９】
望ましくは、上記美髪器において、上記クランプ支持フレームには、上記ボディシェルを装着するためのねじ穴が設けられ、上記ボディシェルは、ネジによって上記クランプ支持フレームに固定される。
【００１０】
望ましくは、上記美髪器において、上記クランプ支持フレームの片側の末端には一つの上記ねじ穴が設けられ、他端には二つの上記ねじ穴が設けられる。
【００１１】
望ましくは、上記美髪器において、上記ボディシェルには、取り外し可能で面ハウジングが接続される。
【００１２】
望ましくは、上記美髪器において、上記面ハウジングは、スナップによって取り外し可能で上記ボディシェルに接続される。
【００１３】
望ましくは、上記美髪器において、上記面ハウジングは、プラスティック製の面ハウジングである。
【００１４】
望ましくは、上記美髪器において、上記クランプ支持フレームの末端には、円弧過渡構造が設けられる。
【００１５】
本考案が提供した美髪器は、本体固定フレーム、第１のクランプ、第２のクランプ及び第１のクランプと第２のクランプを閉止するための反発装置を含み、本体固定フレームに中心軸と開閉梃子が設けられ、第１のクランプと第２のクランプが中心軸によって開閉可能に本体固定フレームにヒンジ連結され、第１のクランプはハンドルに位置する片端にボタンと支持ロッドが設けられ、支持ロッドは開閉梃子の片端に作用しかつ開閉梃子が支点をめぐる回転を駆動することができ、開閉梃子の他端は第２のクランプの端部に作用しかつ第２のクランプが中心軸をめぐる回転を駆動できる。使用時に、ユーザがただ第１のクランプのボタンを押せば、支持ロッドによって開閉梃子を抉って動かし、それによって第２のクランプが中心軸をめぐって回転するようにし、更に二つのクランプを開放し、ボタンを放した後、反発装置は二つのクランプを閉止してヘアを挟持することを実現する。本考案はボタン一つだけで二つのクランプに対する開閉操作を完遂させることができ、ユーザが使用するときに手間を節約し、安全になる。
【００１６】
より明確に本考案の実施例又は従来技術の技術的考案を説明するために、以下、実施例又は従来技術の説明で使用する図面を簡単に紹介する。当然、下記説明する図面は、ただ本考案の一部の実施例だけであり、当業者にとっては、創造的な創作をしていない前提で、これらの図面によって他の図面を取得できる。
【図面の簡単な説明】
【００１７】
【図１】本考案の具体的な実施例に係る単ボタン美髪器の断面概略構成図である。
【図２】図１に示す部分Ａの部分拡大図である。
【図３】本考案の具体的な実施例に係る単ボタン美髪器の全体概略構成図である。
【図４】図３の平面図。
【図５】本考案の具体的な実施例に係る単ボタン美髪器の第１のクランプの概略構成図である。
【図６】本考案の具体的な実施例に係るクランプ支持フレームの概略構成図である。
【図７】本考案の具体的な実施例に係るクランプ支持フレームの正面図である。
【図８】図７の左面図である。
【図９】本考案の具体的な実施例に係る両ボタン美髪器の断面概略構成図。
【図１０】本考案の具体的な実施例に係る両ボタン美髪器の全体概略構成図。
【考案を実施するための形態】
【００１８】
以下、本考案の実施例の中の図面と合わせて、考案の実施例に係る技術的考案を明確に、完全に説明する。当然、説明した実施例は、ただ本考案の一部の実施例に過ぎなく、すべての実施例ではない。本考案の実施例に基づいて、当業者が創造的な創作をしていない前提で取得したすべての他の実施例も、本考案の範囲に属する。
【００１９】
図１〜図８を参照し、本考案は美髪器を提供し、当該美髪器は、単ボタン美髪器であり、具体的に本体固定フレーム１、第１のクランプ２と第２のクランプ３及び第１のクランプ２と第２のクランプ３を閉止するための反発装置を含み、本体固定フレーム１に中心軸８と開閉梃子４が設けられ、第１のクランプ２と第２のクランプ３は中心軸８によって開閉可能に本体固定フレーム１にヒンジ連結され、第１のクランプ２はハンドル５に位置する片端にボタン６と支持ロッド２１が設けられ、支持ロッド２１は開閉梃子４の片端に作用しかつ開閉梃子４が支点をめぐる回転を駆動することができ、開閉梃子４の他端は第２のクランプ３の端部に作用し且つ第２のクランプ３が中心軸８をめぐる回転を駆動できる。
【００２０】
具体的に、本体固定フレーム１の役割は、クランプにサポートを提供し、ヘアスタイリングに外部のスタイリング構造を提供することである。本体固定フレーム１は、更にハンドル５とクランプ外部筐体等の部分を含む。反発装置は、二つのクランプを締め付けてヘアをしっかりと締め付けるようにするためのものである。中心軸８は、二つのクランプが開閉する回転支点とする。開閉梃子４は、第１のクランプ２と第２のクランプ３とを連動して接続させ、二つのクランプが同時に開閉作動するようにする。支持ロッド２１は、第１のクランプ２の移動時の動力を開閉梃子４に伝達するための部材である。ボタン６は、ユーザに作用力を直接に施させるための部材である。
【００２１】
使用時に、ユーザがただ第１のクランプ２のボタン６を押せば、支持ロッド２１によって開閉梃子４を抉って動かし、それによって第２のクランプ３が中心軸８をめぐって回転するようにし、更に二つのクランプを開放させ、ボタン６を放した後、反発装置は二つのクランプを閉止してヘアを挟持することを実現する。これから見ると分かるように、本考案はボタン６一つだけで二つのクランプに対する開閉操作を完遂させることができ、ユーザの操作が極めて便利になり、ユーザが使用するときに手間を節約し、安全になる。
【００２２】
反発装置は、二つのクランプを締め付けてヘアをしっかりと締め付けるように使われる。本考案においては、その機能を実現するために、複数の構造形式の反発装置を選んでもよい。例えば、二つのクランプの端部の間に圧縮バネを設けること、或いはクランプと本体固定フレーム１との間に引っ張りバネを設けること、或いは中心軸８のところにトルクバネを設けることなどは、いずれも二つのクランプの締め付け作動を駆動できる。望ましくは、本考案における反発装置は圧縮バネ７であり、第１のクランプ２と第２のクランプ３にはいずれも圧縮バネ７の端部に接続するための固定柱９が設けられる。具体的に、圧縮バネ７の両端がそれぞれ第１のクランプ２と第２のクランプ３の固定柱９に嵌着し又は引っかかっている。ユーザがボタン６を押すと、圧縮バネ７が圧縮され、クランプが開放される。ユーザがボタン６を放すと、圧縮バネ７が回復し、クランプが締め付ける。そのうち、クランプが締め付けする力は、バネの弾力による。
【００２３】
支持ロッド２１は、複数の方式を通して作用力を開閉梃子４へと伝達してもよい。例えば、支持ロッド２１と開閉梃子４とをヒンジ連結すること、或いは支持ロッド２１の端部を開閉梃子４の片端に当接させること、或いは支持ロッド２１を柔軟な接続手段で開閉梃子４の端部に接続することなど。望ましくは、本考案では、支持ロッド２１を開閉梃子４の端部に直接当接させる。このようにすると、部品の数を減少すると共に、伝動過程における支持ロッド２１と開閉梃子４の間の相対的な摺動を回避しやすく、その伝動の柔軟性を向上させる。具体的に、ユーザがボタン６を押すと、支持ロッド２１が第１のクランプ２の端部に付いて開閉梃子４の方向へ移動し、支持ロッド２１が開閉梃子４の端部を押圧及び推進し続けることにより、開閉梃子４を回転させる。
【００２４】
第２のクランプ３の端部と開閉梃子４の端部との接続方式としては、支持ロッド２１と開閉梃子４との接続方式に類似して、同様に複数の構造形式を通して伝動接続を実現してもよい。望ましくは、本考案の具体的な実施例に係る第２のクランプ３の端部が開閉梃子４の端部と直接に当接接触する。ユーザがボタン６を押すと、開閉梃子４が支持ロッド２１のドライブにより支点をめぐって回転し、即ち開閉梃子４の他端が第２のクランプ３の端部に作用することで、第２のクランプ３の端部を抉って起こす。
【００２５】
図５を参照にして、図５は、本考案の具体的な実施例に係る単ボタン美髪器の第１のクランプ２の概略構成図である。第１のクランプ２は、ハンドル５に位置する片端に支持ロッド２１とボタン６を装着するためのボタン装着部２２が設けられ、更に中心軸８に接続するためのヒンジ連結軸孔２３が設けられる。第１のクランプ２の末端には位置決め部２４が設けられる。当該位置決め部２４と本体固定フレーム１の位置決め部が互いに当接することで、二つのクランプの最小夾角を制限するのに使われ、つまり、二つのクランプが最小夾角の位置まで締め付ける時、当該位置決め構造によって二つのクランプの間に一つの隙間を保留することを確保でき、当該隙間は０．０６ｍｍ〜０．１２ｍｍであり、二つのクランプが閉止する時に二つの加熱板の間の少量のヘアをしっかりと締め付けないように保障し、クランプの閉止によるヘアへの締め付け力を大幅に減少することにより、髪の毛に予め保留した当該隙間を順調に通過させ、それによってクランプの締め付け力が過大になったとき少量のヘアを切断することを回避し、髪質の損傷を回避する。
【００２６】
説明すべきなのは、図６〜図８に示すように、本考案における本体固定フレーム１は、ボディシェル１２及びボディシェル１２と固定されるクランプ支持フレーム１１を含み、クランプ支持フレーム１１には、ヘアを挟持するための固定開口１４及び第１のクランプ２と第２のクランプ３の開閉に用いられるスロット１６が設けられ、更に中心軸８を装着するための中心軸孔１５が設けられる。固定型の外観デザインであり、髪をカールする時にヘアを巻き付ける時の摩擦力を圧力に変換しない。
【００２７】
本考案におけるクランプ支持フレーム１１に固定開口１４が設けられるため、即ち固定開口１４が開く角度と大きさが固定的であるため、ユーザがパーマをする時に二つのクランプの間に詰め込んだヘアの量が効果的に制限される。従来技術の美髪器に比べて、本考案は、挟持されたヘアを一定量の範囲以内に収めることができ、そうすると、二つのクランプの間に過大なヘアを挟持することがなくなるため、ヘアが容易に二つのクランプの間に平らに載置され、それによってすべての挟持されたヘアが効果的に加熱され、パーマの效率を向上させる。具体的に、当業者は、具体的なニーズに応じて固定開口１４の開口角度と大きさを設定することによって、挟持されたヘアの量を効果的にコントロールすることができる。
【００２８】
クランプ支持フレーム１１が衝突と衝撃に対する吸収性と耐性を高めるために、望ましくは、本考案では、クランプ支持フレーム１１の固定開口１４が開口の大きさが固定的で且つ縦断面がＶ形の構造に構成される。具体的にＶ形的クランプ支持フレーム１１によって開口部が一定の弾性を有することになり、従来技術の一体式の本体固定フレーム或いは弾性を有していないクランプ支持フレームと異なり、Ｖ形の当該クランプ支持フレーム１１が一定の弾性変形を発生させ、胴体の剛性を低減させると共に胴体の弾性と耐衝撃性を向上させるため、転落による衝撃力を効果的に效吸し緩衝する。美髪器が胴体の軸方向に沿って転落するとき、クランプ支持フレーム１１が衝撃力をハンドル５、胴体の尾部及びボディシェル１２の全体に分散するため、衝突部分の損傷を軽減させる。美髪器が横方向（即ち図５の左右方向）に沿って転落するとき、クランプ支持フレーム１１の固定開口１４が一定の弾性を有するため、衝撃力を効果的に吸収でき、即ち大部分の衝撃力がＶ形構造に吸収され、同じように衝突部分を保護できる。そうすると、当該ランプ支持フレーム１１によって美髪器が転落する時の衝撃力を胴体の全体に分散させるため、ユーザが不意に落とすときにも、同様に損害から美髪器を保護できる。
【００２９】
更に胴体の耐衝撃性を高めるために、望ましくは、図６〜図８に示すように、本考案では、クランプ支持フレーム１１の末端が円弧過渡構造１３として設計され、円弧過渡構造１３によって胴体が転落して衝突する時に衝撃が軽減し、衝撃力をより容易に分散させることができる。
【００３０】
説明すべきなのは、クランプ支持フレーム１１が複数の接続方式でボディシェル１２と固定接続してもよい。例えば、ボルト接続、スナップ接続或いはリベット接続などの方式がある。望ましくは、本考案におけるクランプ支持フレーム１１にボディシェル１２を装着するためのねじ穴１７が設けられ、ボディシェル１２は、ネジでクランプ支持フレーム１１に固定される。
【００３１】
具体的に、図６と図８に示すように、クランプ支持フレーム１１の片側の末端には、一つのねじ穴１７が設けられ、他端には、二つのねじ穴１７が設けられる。その構成によって、各側のクランプとクランプ支持フレーム１１との接続が一つの両端が固定し且つ中央が固定しない構造を形成し、それはクランプ支持フレーム１１の中部が衝撃を受けた時に一定の振動変形をし、或いはボディシェル１２がクランプ支持フレーム１１の中部位置に対して振動変形し、そうすると、衝撃力が振動という形になって広がり、それによって胴体への損害を回避する。同時に、三つのねじ穴１７が三角形の構造として配布されることで、その接続の安定性を向上させ、部品を節約する。
【００３２】
説明すべきなのは、本考案におけるクランプ支持フレーム１１は、ナイロンプラス３０％のガラス繊維というような素材を使用して作製されてもよいし、ナイロン、金属又は他の高分子材料を使用して作製されてもよい。当業者は、ニーズによって、異なる特性の素材を選んでクランプ支持フレーム１１を作製してもよい。
【００３３】
図９と図１０を参照にして、図９は、本考案の具体的な実施例に係る両ボタン美髪器の断面概略構成図であり、図１０は、本考案の具体的な実施例に係る両ボタン美髪器の全体概略構成図である。上記の単ボタン美髪器と異なるのは、両ボタン美髪器が二つのボタン６を使用するが、開閉梃子４が設けられていないことである。それ以外の構造は、単ボタン美髪器と類似し、同様に上記のクランプ支持フレーム１１を使用することで上記の有益な効果も有し、その故、言及していない。
【００３４】
望ましくは、本考案における面ハウジング１０が取り外し可能な方式でボディシェル１２に接続され、これによってユーザが容易に面ハウジング１０を交換でき、ユーザが具体的なニーズに応じて、適当に異なる機能又は異なる形状を備える面ハウジング１０を交換できることにより、美髪器の機能が多種多様になる。
【００３５】
説明すべきなのは、面ハウジング１０は、異なる接続方式でボディシェル１２に固定されてもよい。例えば、ボルト接続、接着接続、スナップ接続又は挿入接続などの方式がある。望ましくは、本考案における面ハウジング１０は、スナップによって取り外し可能でボディシェル１２に接続され、ユーザによる交換や装着の過程がより容易になり、ユーザの使用に極めて利便性をもたらす。
【００３６】
説明すべきなのは、本考案における面ハウジング１０は、プラスティック、セラミックス又は他の断熱性が優れる高分子材料を使用して作製されてもよい。望ましくは、本具体的実施例のおける面ハウジング１０は、プラスティック素材を使用している。プラスティック又はセラミックス等の素材が効果的に美髪器内部の加熱板による熱量を遮断できるので、面ハウジング１０の表面温度を効果的に低減させることができ、「ホットでパーマ、コールドで定型」という原理に従って、美髪器の中身部では高温によるホットパーマを行い、ハウジングではコールドで定型を行う。これによって、たとえ定型液を使わなくても、ヘアを定型する効果を得ることができ、ひいてはコストを低減させ、顧客のヘア又は頭皮への傷害を減少できる。同様に、更にユーザが使用しやくなるために、望ましくは、ボタン６はプラスティック、セラミックス又は他の断熱性が優れる高分子材料を使用して作製されてもよい。
【００３７】
開示した実施例に対する上記説明は、当業者に本考案を実現又は利用させるようにする。それらの実施例に対する多種な修正は、当業者にとって自明である。本稿で定義した一般的原理は、本考案の趣旨又は範囲を逸脱しない情况で、他の実施例で実現できる。従って、本考案は、本稿に示すそれらの実施例に限らず、本稿に開示された原理と新規特徴に一致する最も広い範囲に合致すべきである。
【符号の説明】
【００３８】
図１〜図１０において。
【００３９】
本体固定フレーム−１、第１のクランプ−２、第２のクランプ−３、開閉梃子−４、ハンドル−５、ボタン−６、圧縮バネ−７、中心軸−８、固定柱−９、面ハウジング−１０、クランプ支持フレーム−１１、ボディシェル−１２、円弧過渡構造−１３、固定開口−１４、中心軸孔−１５、スロット−１６、ねじ穴−１７、支持ロッド−２１、ボタン装着部−２２、ヒンジ連結軸孔−２３、位置決め部−２４。
【図１】
0003207160.tif 000003
【図２】
0003207160.tif 000004
【図３】
0003207160.tif 000005
【図４】
0003207160.tif 000006
【図５】
0003207160.tif 000007
【図６】
0003207160.tif 000008
【図７】
0003207160.tif 000009
【図８】
0003207160.tif 000010
【図９】
0003207160.tif 000011
【図１０】
0003207160.tif 000012